(57)【特許請求の範囲】
【請求項１】
建物開口部に設置される枠体と、框組みしてなり枠体に対して開閉自在に支持される障子と、障子を構成する框の負圧による回転を防止する回転防止手段とを備え、
回転防止手段は、枠体に固定される枠側回転防止部材と、障子に固定される框側引寄部材とからなり、枠側回転防止部材は、障子の閉鎖時に框側引寄部材の室外側見付け面に当接する室内側見付け面と、枠体の内周側に突設されて障子の框の外周面に近接し、負圧による障子の回転によって障子の框の外周面に当接する内周突出部を有し、内周突出部は、室内側見付け面よりも室外側に設けられていることを特徴とする建具
【発明の詳細な説明】
【技術分野】
【０００１】
建物開口部に設けられる枠体に対して、障子を開閉自在に支持してなる建具に関する。
【背景技術】
【０００２】
従来、建物開口部に設けられる建具、特に、開き窓においては、障子を枠体に引き寄せる引寄手段が設けられており、障子の閉鎖時に障子を枠体に引き寄せることで気密性を維持している。
【先行技術文献】
【特許文献】
【０００３】
【特許文献１】実用新案登録第２５０３８５８号
【発明の概要】
【発明が解決しようとする課題】
【０００４】
近年、建物の開口部の形状は多様性を増し、縦に長い建具が求められることがあるが、縦に長い建具においては、建具に負圧がかかった場合に長尺の縦框のねじれ、すなわち最大回転角度が大きくなり、特に、引寄手段により框外周側の見込み方向への移動が阻止されている場合には、負圧により框を回転させる力が働きやすく、框が引寄手段から外れてしまう可能性があった。
【０００５】
本発明は、上記の事情を鑑みたものであり、建具に負圧等の外力が生じた場合であっても、引寄手段近傍での框の回転を抑え、框が引寄手段から外れることを抑制することを目的とする。
【課題を解決するための手段】
【０００６】
本発明は、建物開口部に設置される枠体と、框組みしてなり枠体に対して開閉自在に支持される障子と、障子を構成する框の負圧による回転を防止する回転防止手段とを備え、回転防止手段は、枠体に固定される枠側回転防止部材と、障子に固定される框側引寄部材とからなり、枠側回転防止部材は、障子の閉鎖時に框側引寄部材の室外側見付け面に当接する室内側見付け面と、枠体の内周側に突設されて障子の框の外周面に近接し、負圧による障子の回転によって障子の框の外周面に当接する内周突出部を有し、内周突出部は、室内側見付け面よりも室外側に設けられていることを特徴とする。
【発明の効果】
【０００７】
本発明によれば、障子に対して負圧がかかった状態においても、框のねじれや回転を抑えることができ、障子が枠体に設けた引寄手段等から外れることを抑制できる。
【図面の簡単な説明】
【０００８】
【図１】本発明の実施形態に係る建具の内観図である。
【図２】本発明の実施形態に係る建具の縦断面図である。
【図３】本発明の実施形態に係る建具の横断面図であり、（ａ）は建具全体の横断面図、（ｂ）は建具の引寄兼回転防止手段を装着した部分の拡大横断面図である。
【図４】本発明の実施形態に係る建具に固着される引寄兼回転防止手段の図であり，（ａ）は引寄兼回転防止手段を構成する枠側回転防止部材の斜視図、（ｂ）は引寄兼回転防止手段を構成する框側引寄部材の斜視図である。
【図５】本発明の実施形態に係る建具の閉鎖動作状態における左縦枠及び左縦框の引寄兼回転防止手段が装着されている部位の横断面図であり、（ａ）は閉鎖動作途中、（ｂ）は閉鎖完了後の横断面図である。
【図６】本発明の実施形態に係る建具に対して負圧がかかっている状態における左縦枠及び左縦框の引寄兼回転防止手段が装着されている部位の横断面図であり、（ａ）は負圧がかかる前の通常状態の横断面図であり、（ｂ）は負圧がかかった状態で框の回転が阻止された状態の横断面図である。
【図７】本発明の他の実施形態に係る建具の閉鎖動作状態における左縦枠及び左縦框の引寄兼回転防止手段が装着されている部位の横断面図であり、（ａ）は閉鎖動作途中、（ｂ）は閉鎖完了後の横断面図である。
【発明を実施するための形態】
【０００９】
（縦すべり出し窓の構成）
本発明を、実施形態として縦すべり出し窓を用いて説明する。
本発明の実施形態に係る建具は、図１乃至３に示されるように、建物の外周に配置され上枠１１，下枠１２及び左右の縦枠１３，１４を四周に組んでなる枠体１に対して、上框２１，下框２２及び左右の縦框２３，２４を四周に組んで内周にガラス等パネルを装着してなる障子２を、左縦框２３を吊元側框として右縦框２４が外方に開放する縦すべり出し窓として構成されている。
【００１０】
枠体１を構成する上枠１１は、図２に示すように、建物開口部に固定され枠体１の内周面を形成する上枠本体部１１１と、上枠本体部１１１の室内側下面より下方に垂下される室内側垂下壁部１１２と、上枠本体部１１１の室外側下面より下方に延設される上気密材取付部１１３とから構成されており、室内側垂下壁部１１２の室外側面の下方位置には障子２の上框２１の室内側見付面に当接する気密材ｓ１が取り付けられるとともに、上気密材取付部１１３には、障子２の上框２１の室外側上端に当接する気密材ｓ２が下方に向けて取り付けられている。
下枠１２は、建物開口部に固定され枠体１の内周面を形成するとともに室外側下方に中空の水切り部を有する下枠本体部１２１と、下枠本体部１２１の室内側に立ち上がる中空構造の立上壁１２２とから構成されており、立上壁１２２の室外側面の上方位置には障子２の下框２２の室内側見付面に当接する気密材ｓ１が取り付けられている。
【００１１】
枠体１を構成する左右の縦枠１３、１４は、図３に示すように、略同一形状をなしており、それぞれ建物開口部に固定され枠体１の内周面を形成する左右の縦枠本体部１３１，１４１と、縦枠本体部１３１，１４１の室内側内周面より内周方向に延設される左、右内壁部１３２，１４２とから構成されており、左、右内壁部１３２，１４２の室外側面内周端には障子２の左、右縦框２３，２４の室内側見付面に当接する気密材ｓ１，ｓ１が取り付けられている。
【００１２】
障子２を構成する上框２１は、図２に示すように、障子２の上方外周面を形成する中空部の室外側内周面よりガラス間口を構成する室外側間口壁２１１ａが垂下されてなる上框本体部２１１と、上框本体部２１１の外周面の室内側端より上方に延設される上框室外壁部２１２と、上框本体部２１１の室内側内周面に取り付けられてガラス間口を形成する押縁２１３とから構成されている。
障子２を構成する下框２２は、障子２の下方外周面を形成する中空部の内周面にガラス間口が形成されてなる下框本体部２２１と、下框本体部２２１の外周面の室外側端より下方に垂下される下框外壁部２２２とから構成されている。
【００１３】
障子２を構成する左右の縦框２３、２４は、図３に示すように、略同一形状をなしており、それぞれ障子２の外周面を形成し、その室外側内周面にガラス間口を構成する室外側間口壁２３１ａ，２４１ａが形成されてなる左右の縦框本体部２３１，２４１と、左右の縦框本体部２３１，２４１の外周面の室外側端より外周方向に延設される左、右縦框外壁部２３２，２４２と、左、右縦框本体部２３１，２４１の屋内側内周面に取り付けられてガラス間口を構成する押縁２３３，２４３とから構成されている。
左、右縦框２３，２４の左、右縦框外壁部２３２，２４２の外周端部には、外周方向にヒレ片を有する気密材ｓ３が取り付けられている。
そして、オペレータハンドル等を操作することで、周知の開閉機構によって左縦框を吊元側として右縦框が外方へ開放するように、枠体１に対して障子２が縦すべり出し開閉自在に支持されている。
【００１４】
（引寄兼回転防止手段の構成）
本実施形態のような縦すべり出し窓においては、通常、障子と枠体との間の気密材による気密を確実にするために、吊元側縦枠及び縦框に、障子を枠体に設けた気密材に圧接するための引寄手段が設けられている。
本実施形態の縦すべり出し窓においては、引寄手段を単独で設けることなく、建具の室外側に負圧が生じたときに吊元側縦框が回転することを防止する回転防止手段を設け、回転防止手段に障子を引き寄せる機能を付加して引寄兼回転防止手段とすることにより障子の引寄に対して対応している。そして、引寄兼回転防止手段は縦すべり出し窓の高さ方方向ほぼ中央位置に一つ設けられている。（引寄手段を、建具の室外側に負圧が生じたときに吊元側縦框が回転することを防止する回転防止機能を備える引寄兼回転防止手段５として構成し、縦すべり出し窓の高さ方方向ほぼ中央位置に一つ設けられている。）
【００１５】
本実施形態の縦すべり出し窓に使用される引寄兼回転防止手段５は、枠体１の左縦枠１３の内周面に固定される枠側回転防止部材５１と、障子２の左縦框２３の外周面であって、枠側回転防止部材５１と対向する高さ位置に固定される框側引寄部材５２とにより構成されている。
枠側回転防止部材５１は、合成樹脂等からなり、図４（ａ）に示すように、裏面を左縦枠１３の内周面に対する取付面５１１ａとし、短尺の略立方体ブロック形状をなす本体部５１１と、本体部５１１の反取付面（表面）より長手方向に沿って一方側（以下、単に「一方側」という）に肉厚に突設される突出部５１２とから形成されており、本体部５１１の長手方向に沿って他方側（以下、単に「他方側」という。）の側面は、取付面５１１ａに対して直角をなす垂直面５１１ｂと、垂直面５１１ｂに連続し徐々に突出部５１２に近づく傾斜面５１１ｃとから構成されている。
枠側回転防止部材５１の表面略中央には凹部が形成され、凹部の略中央位置に本体部５１１の表面から裏面に貫くネジ孔５１１ｄが形成されている。
【００１６】
そして、図３（ｂ）に示すように、枠側回転防止部材５１は、一方側が室外側、他方側が室内側となるように本体部５１１の取付面５１１ａを左縦枠１３の内周面に当接させて、ビス等の固定手段ｂにより左縦枠１３の内周面に固定される。枠側回転防止部材５１が左縦枠１３の内周面に固定されることにより、本体部５１１の垂直面５１１ｂは室内方向に向かう室内側見付け面５１１ｂとして構成され、それに続く枠側傾斜面５１１ｃとともに、障子２を引き寄せるための引寄部としての機能を備えることとなる。
また、突出部５１２は、本体部５１１から左縦枠１３の内周側に突設することとなり、障子２の閉鎖時において左縦框２３の外周面に近接する内周突出部５１２として構成される。
【００１７】
一方、框側引寄部材５２は、合成樹脂等からなり、図４（ｂ）に示すように、裏面を左縦框２３の外周面に対する取付面５２１ａとし、短尺の板状をなす取付板部５２１と、取付板部５２１の反取付面（表面）より長手方向に沿って一方側（以下、単に「一方側」という）に肉厚に突設される断面略矩形の本体部５２２とから形成されている。本体部５２２の一方側の側面５２２ａ及び長手方向に沿って他方側（以下、単に「他方側」という。）の側面５２２ｂはそれぞれ取付板部５２１の表面に対して略直角の面により形成されており、一方側の側面５２２ａの高さ寸法が他方側の側面５２２ｂの高さ寸法よりも高く、本体部５２２の上面は一方側から他方側に行くにしたがって下方に傾斜する傾斜面５２２ｃとして形成されている。
本体部５２２の他方側の側面に続く取付板部５２１の略中央位置には取付板部５２１の表面から裏面に貫くネジ孔５２１ｂが形成されており、取付板部５２１の取付面５２１ａには、框外周面の凹凸形状に合わせて突部５２１ｃが形成されている。
【００１８】
そして、框側引寄部材５２は、一方側が室内側、他方側が室外側となるように取付板部５２１の取付面５２１ａを左縦框２３の外周面に当接させて、ビス等の固定手段ｂにより左縦框２３の外周面に固定される。このとき、框外周面の凹凸形状に合わせて突部５２１ｃが形成されているので、框外周面の凹凸形状と突部５２１ｃとの形状によって、取付板部５２１の取付位置の見込み方向位置決めを容易に行うことができる。
框側引寄部材５２が左縦框２３の外周面に固定されることにより、本体部５２２の長手方向の他側の側面５２２ｂは室外方向に向かう室外側見付け面５２２ｂとなり、障子２を引き寄せるための引寄部としての機能を備えることとなる。
【００１９】
（引寄兼回転防止部材による引寄及び框の回転防止）
引寄兼回転防止手段５の枠側回転防止部材５１及び框側引寄部材５２が装着された建具の引寄せ及び框の回転防止について説明する。
本実施形態にかかる縦すべり出し窓の障子２の閉鎖動作時においては、左縦框２３は、図示しない支軸を中心に時計回りに回転しながら、左縦枠１３に対して内周方向から近接するように移動する。そして、障子２の閉鎖動作が続くと、図５（ａ）に示すように、左縦框２３の外周面に固定された框側引寄部材５２の本体部５２２が左縦枠１３の内周面に固定された枠側回転防止部材５１の本体部５１１の室内側見付け面５１１ｂに連続する枠側傾斜面５１１ｃに当接もしくは近接し、さらに回転することにより、本体部５２２は枠側回転防止部材５１の枠側傾斜面５１１ｃを超える。
【００２０】
その後、枠側傾斜面５１１ｃに対して框側引寄部材５２の室外側見付け面５２２ｂが当接することで左縦框２３を左縦枠１３に対して室内側に引き寄せることができる。
なお、本実施形態においては、框側引寄部材５２の本体部５２２の上面を傾斜面５２２ｃに形成しているので、本体部５２２が枠側回転防止部材５１の枠側傾斜面５１１ｃをスムーズに超えることができる。
そして、最終的には、図５（ｂ）に示すように、框側引寄部材５２の室外側見付け面５２２ｂが枠側回転防止部材５１の室内側見付け面５１１ｂに室内外方向に当接することで、左縦枠１３に対する左縦框２３の引寄せを完了して室外側への移動を規制し、安定した閉鎖状態を維持することができる。
【００２１】
図６（ａ）に示す閉鎖状態において、天候等を原因として建具の室外側に対して大きな負圧がかかると、障子２全体を室外側に引っ張る力が働くが、枠側回転防止部材５１の室内側見付け面５１１ｂと框側引寄部材５２の室外側室外側見付け面５２２ｂとが当接しているために、障子２の室外側への移動が阻止される。
しかし、さらに負圧が強くなると、負圧による引っ張り力によって左縦框２３には、枠側回転防止部材５１の室内側見付け面５１１ｂと框側引寄部材５２の室外側見付け面５２２ｂとの当接部を中心とする回転力が生じ、左縦框２３は反時計回りに回転し始める。
【００２２】
ここで、本実施形態の縦すべり出し窓においては、引寄兼回転防止手段５の枠側回転防止部材５１の本体部５１１の室外側の内周面に内周方向に突設して左縦框２３の外周面に近接する内周突出部５１２が形成されているので、左縦框２３が所定角度以上反時計回りに回転すると、図６（ｂ）に示すように、左縦框２３の外周面が内周突出部５１２に当接してそれ以上の回転を防止することができる。
なお、枠側回転防止部材５１の内周突出部５１２の内周側への突出量は、障子２の開閉の支障にならなければ、左縦框２３の外周面により近接している方が好ましく、少なくとも、左縦框２３の回転によって框側引寄部材５２の本体部５２２が枠側回転防止部材５１の本体部５１１から外れる前に左縦框２３の外周面が当接する突出量であることが必要である。
【００２３】
（他の実施形態）
図７に、引寄兼回転防止手段５の引寄の機能を受け持つ部分に対して、ローラ手段を配置した実施形態を示す。
図７に示す実施形態の引寄兼回転防止部材６は、図４乃至６に示す実施形態の引寄兼回転防止手段５の枠側回転防止部材５１の本体部５１１の垂直面５１１ｂに続く枠側傾斜面５１１ｃに代えて、枠側回転防止部材６１にローラ手段６１１を配置するとともに、框側引寄部材６２の内周側の面にローラ手段６１１を保持するための凹部６２１を設けている。
【００２４】
そして、本実施形態にかかる縦すべり出し窓の障子２の閉鎖動作時においては、左縦枠１３に対して内周方向から近接するように移動する。そして、図７（ａ）に示すように、左縦框２３の外周面に固定された框側引寄部材６２の本体部６２１が左縦枠１３の内周面に固定された枠側回転防止部材６１に回転自在に支持されるローラ手段６１１に当接し、ローラ手段６１１を回転させながら、框側引寄部材６２の本体部６２１は枠側回転防止部材６１のローラ手段６１１を超える。そのとき、框側引寄部材６２の本体部６２１に形成されたローラ受凹部６２２の室外側見付け面にローラ手段６１１の室内側見付け面を当接させて納めることにより、左縦框２３を左縦枠１３に対して室内側に引き寄せることができ、また、ローラ手段６１１は框側引寄部材６２に対して見付け方向にも当接しているので、安定した閉鎖状態を維持することができる。
なお、回転防止機能については、図４乃至６に記載の実施形態と同様であるので、その説明は省略する。
【００２５】
以上のように、本実施形態においては、枠体に対して障子を引き寄せる引寄手段の機能と框の回転を抑える回転防止機能とを備える引寄兼回転防止手段を設けており、引寄兼回転防止手段５を枠側回転防止部材５１と框側引寄部材５２とから構成し、枠側回転防止部材５１と框側引寄部材５２には、障子閉鎖時に当接する見付け面を設けるとともに、枠側回転防止部材５１には、負圧が生じたときに框の回転を規制することができる内周突出部を縦框の外周面に近接するように設けたので、障子に係る負圧によって框が室外側に移動することを枠側回転防止部材５１の見付け面と框側引寄部材５２の見付け面の当接によって規制することができ、見付け面部の当接による室外方向への移動の規制に伴って生じる回転力に対しては、見付け面部の室外側において框の外周壁に内周突出部５１を当接することによって防止することができるので、框のねじれや回転に対して高い抑止性を備えることができる。
【符号の説明】
【００２６】
１        ：枠体
１１      ：上枠
１１１    ：上枠本体部
１１２    ：室内側垂下壁部
１１３    ：上気密材取付部
１２      ：下枠
１２１    ：下枠本体部
１２２    ：立上壁
１３      ：左縦枠
１３１    ：縦枠本体部
１３２    ：右内壁部
１４      ：右縦枠
１４１    ：縦枠本体部
１４２    ：右内壁部
２        ：障子
２１      ：上框
２１１    ：上框本体部
２１２    ：上框室外壁部
２１３    ：押縁
２２      ：下框
２２１    ：下框本体部
２２２    ：下框外壁部
２３      ：左縦框
２３１    ：縦框本体部
２３２    ：右縦框外壁部
２３３    ：押縁
２４      ：右縦框
２４１    ：縦框本体部
２４２    ：右縦框外壁部
２４３    ：押縁
５        ：引寄兼回転防止手段
５１      ：枠側回転防止部材
５１１    ：本体部
５１１ａ  ：取付面
５１１ｂ  ：室内側見付け面（垂直面）
５１１ｃ  ：枠側傾斜面
５１１ｄ  ：ネジ孔
５１２    ：内周突出部
５２      ：框側引寄部材
５２１    ：取付板部
５２１ａ  ：取付面
５２１ｂ  ：ネジ孔
５２１ｃ  ：突部
５２２    ：本体部
５２２ａ  ：側面
５２２ｂ  ：室外側見付け面（側面）
５２２ｃ  ：傾斜面
【図１】
0006595889.tif 000002
【図２】
0006595889.tif 000003
【図３】
0006595889.tif 000004
【図４】
0006595889.tif 000005
【図５】
0006595889.tif 000006
【図６】
0006595889.tif 000007
【図７】
0006595889.tif 000008